(57)【要約】【課題】低温の外気により屋内の温度分布に大きなバラツキが生じ難く、効率よく屋内全体を出来るだけ均一に暖房できる燃焼暖房装置及び熱交換用通気管を提供する。【解決手段】仕切部１３により仕切られた屋内１５に設置される燃焼部２１と、仕切部１３を貫通して配置され、燃焼部２１の排気が上昇流を形成して屋外１４に排出される排気管３０と、を備え、燃焼部２１は上昇流により生じる吸引力で屋内１５の空気を吸い込んで燃料を燃焼させる構造であり、排気管３０の外周を囲み且つ仕切部１３を貫通して配置された熱交換用通気管４０を備え、熱交換用通気管４０と排気管３０との間には、屋内１５と屋外１４とに開口して排気管３０と熱交換可能な通気路４７が形成されている。【選択図】図１
2020012624.tif 000002
【特許請求の範囲】
【請求項１】
仕切部により仕切られた屋内に設置される燃焼部と、前記仕切部を貫通して配置され、前記燃焼部の排気が上昇流を形成して屋外に排出される排気管と、を備え、前記燃焼部が前記上昇流により生じる吸引力で前記屋内の空気を吸い込んで燃料を燃焼させる燃焼暖房装置であって、
前記排気管の外周を囲み且つ前記仕切部を貫通して配置された熱交換用通気管を備え、
前記熱交換用通気管と前記排気管との間には、前記屋内と前記屋外とに開口して前記排気管と熱交換可能な通気路が形成されている、燃焼暖房装置。
【請求項２】
前記熱交換用通気管の屋外開口は前記仕切部より外側に配置されるとともに、前記排気管の屋外開口より前記仕切部側に配置されている、請求項１に記載の燃焼暖房装置。
【請求項３】
前記熱交換用通気管の屋外開口より上方の前記排気管の外周囲から前記熱交換用通気管の外周囲までが、下向きに開口したカバーにより通気可能に覆われている、請求項２に記載の燃焼暖房装置。
【請求項４】
仕切部により仕切られた屋内の燃焼部から上方に延びて前記仕切部を貫通する排気管に対し、外周を囲み且つ前記仕切部を貫通して装着され、前記排気管との間に、前記屋内と前記屋外とに開口して前記排気管と熱交換可能な通気路を形成する、熱交換用通気管。
【請求項５】
前記熱交換用通気管は、前記排気管の外周に配置される少なくとも１つの弧状片と、前記弧状片を筒状に連結する連結部と、を備えている、請求項４に記載の熱交換用通気管。
【請求項６】
前記熱交換用通気管は、前記周方向に間隔を空けた複数箇所に配置されて径方向に螺合した複数の固定ネジを有し、前記複数の固定ネジにより前記排気管の外周面に固定可能である、請求項４又は５に記載の熱交換用通気管。
【請求項７】
前記熱交換用通気管は、前記排気管に係止可能な吊り金具を有し、前記吊り金具により前記排気管に吊り下げた状態で前記排気管の外周面に固定可能である、請求項４乃至６の何れかに記載の熱交換用通気管。
【発明の詳細な説明】
【技術分野】
【０００１】
本発明は、屋内の燃焼部から仕切部を貫通して屋外まで延びる排気管を備えた燃焼暖房装置とこの燃焼暖房装置を構成する熱交換用通気管に関する。
【背景技術】
【０００２】
従来の燃焼暖房装置は、屋内に配置された燃焼部において各種の燃料を燃焼させ、燃焼部から上方に延びる排気管により上昇流を形成して排気を屋外に排出するようにしている。
【０００３】
このような燃焼暖房装置では、排気管において排気により上昇流を形成することで燃焼部の吸引力が生じるため、屋内の空気を燃焼室に吸い込んで燃料を燃焼することができる。そのため排気管は屋内に配置された燃焼部から上方に延びて配置されており、例えば下記特許文献１等に記載されているように、屋根や壁等の建物の仕切部を貫通させて、屋外に開口して設置されている。
なお下記特許文献２には、暖炉の煙突を内側に含む換気ダクトと、外気を換気ダクト内に流通させる送風機と、換気ダクト内を流通した外気を部屋内に導く第１の開口とを備えた換気装置が提案されている。この換気装置では、送風機を運転することで、部屋の壁に設けられた換気口を通じて外気が換気ダクト内に導入される。煙突を内側に含む換気ダクトの熱交換部を外気が流通する間、外気は暖炉の排熱によって加温され、その後、第１の開口より部屋内に排出される。外気は暖炉の排熱により加温されて部屋内に導入されるので、単に外気をそのまま部屋内に導入する場合にくらべ、暖房効率の低下は大幅に抑えられるとしている。
【先行技術文献】
【特許文献】
【０００４】
【特許文献１】特開２０１４−５６４４号公報
【特許文献２】特開平１０−２３８８３７号公報
【発明の概要】
【発明が解決しようとする課題】
【０００５】
しかしながら、従来の特許文献１に記載の燃焼暖房装置では、上昇流により生じた吸引力で屋内の空気が燃焼部に吸い込まれるに伴い、屋外の外気が屋内に取り込まれている。そのため気密性の高い建物では、外気が十分に取り込まれないと不完全燃焼等が生じ易い。一方で外気を取り込むために開口部を設けると、外気がそのまま屋内に進入して屋内の温度分布にバラツキが生じ易くなる。
【０００６】
一方、ゲルやテントなどのように気密性の低い建物では、外気が仕切部を透過して屋内に取り込まれたり、仕切部の隙間から屋内に取り込まれたりする。このような建物の屋内では、輻射による暖房効果は得られるものの、対流による暖房効果を十分に得難く、低温の外気がそのまま屋内に進入することで、屋内の温度分布に大きなバラツキが生じ易かった。その結果、燃焼暖房装置において過剰に燃料が燃焼されることになり、大気汚染の要因の一つともなっていた。
【０００７】
特許文献２に記載の装置では、稼働するために別の動力源が必要であり、設置場所が制限されたり別の動力源を準備したりしなければならず、容易に設置することができない場合があった。
【０００８】
そこで本発明では、低温の外気により屋内の温度分布に大きなバラツキが生じることを防止でき、屋内全体を出来るだけ均一に暖房できると共に、簡単且つ容易に設置できる燃焼暖房装置を提供することを一目的とし、さらに、そのような燃焼暖房装置を容易に構成できる熱交換用通気管を提供することを他の目的としている。
【課題を解決するための手段】
【０００９】
上記課題を解決する本発明の燃焼暖房装置は、仕切部により仕切られた屋内に設置される燃焼部と、仕切部を貫通して配置され、燃焼部の排気が上昇流を形成して屋外に排出される排気管と、を備え、燃焼部が上昇流により生じる吸引力で屋内の空気を吸い込んで燃料を燃焼させる燃焼暖房装置であって、排気管の外周を囲み且つ仕切部を貫通して配置された熱交換用通気管を備え、熱交換用通気管と排気管との間に、屋内と屋外とに開口して排気管と熱交換可能な通気路が形成されたものである。
【００１０】
本発明の燃焼暖房装置において、熱交換用通気管の屋外開口は仕切部より外側に配置されるとともに、排気管の屋外開口より仕切部側に配置されているのが好ましい。その場合、熱交換用通気管の屋外開口より上方の排気管の外周囲から熱交換用通気管の外周囲までが、下向きに開口したカバーにより通気可能に覆われていてもよい。熱交換用通気管は保温材により覆われた排気管の外周を囲んで配置されていてもよい。
【００１１】
上記他の課題を解決する本発明の熱交換用通気管は、仕切部により仕切られた屋内の燃焼部から上方に延びて仕切部を貫通する排気管に対し、外周を囲み且つ仕切部を貫通して装着され、排気管との間に、屋内と屋外とに開口して排気管と熱交換可能な通気路を形成するものである。
【００１２】
本発明の熱交換用通気管は、好ましくは、排気管の外周に配置される少なくとも１つの弧状片と、弧状片を筒状に連結する連結部と、を備えている。
また熱交換用通気管は周方向に間隔を空けた複数箇所に配置されて径方向に螺合した複数の固定ネジを有し、複数の固定ネジにより排気管の外周面に固定可能であるのが好適である。
さらに熱交換用通気管は、排気管に係止可能な吊り金具を有し、吊り金具により排気管に吊り下げた状態で排気管の外周面に固定可能である。
【発明の効果】
【００１３】
本発明の燃焼暖房装置によれば、熱交換用通気管が排気管の外周を囲み且つ仕切部を貫通して配置されることで、屋内と屋外とに開口した通気路が形成されているので、熱交換用通気管を通して外気を屋内に取り込むことができ、外気が仕切部を透過したり仕切部の隙間から進入することを抑止できる。さらに、この通気路が排気管と熱交換可能に形成されているので、外気を通気路で加温して屋内に取り込むことができ、熱交換用通気管により十分な外気を取り込んでいても低温の外気が屋内に放出されることを抑制できる。
【００１４】
そのため十分な外気を取り込んで燃焼部で燃料を効率よく燃焼させても、低温の外気がそのまま屋内に取り込まれず、低温の外気により屋内の温度分布にバラツキが生じることを防止できる。その結果、輻射による暖房効果と対流による暖房効果とにより暖房効率が上がり、屋内全体を出来るだけ均一に暖房でき、容易に且つ簡便に設置できる燃焼暖房装置を提供することが可能である。
【００１５】
本発明の熱交換用通気管によれば、燃焼部から上方に延びて仕切部を貫通する排気管に対し、外周を囲み且つ仕切部を貫通して装着でき、排気管との間に、屋内と屋外とに開口して排気管と熱交換可能な通気路を形成できる。そのため熱交換用通気管を排気管の外周に装着することで、上述のような燃焼暖房装置を容易に実現できる。従って低温の外気により屋内の温度分布にバラツキが生じることを防ぎ、屋内全体を出来るだけ均一に暖房できる燃焼暖房装置を容易に構成可能な熱交換用通気管を提供することが可能である。
【図面の簡単な説明】
【００１６】
【図１】本発明の第１実施形態に係る熱交換用通気管を用いた燃焼暖房装置を示す模式図である。
【図２】図１の燃焼暖房装置における熱交換用通気管を示す正面図である。
【図３】図２のＡ−Ａ断面図である。
【図４】本発明の第１実施形態に係る熱交換用通気管を二つ割りにより開放した状態を示す側面図である。
【図５】本発明の第２実施形態に係る燃焼暖房装置の熱交換用通気管及び排気管の上端側を示す部分正面図である。
【図６】第２実施形態に係る燃焼暖房装置の熱交換用通気管及び排気管の上端側を示す平面図であり、カバーを取り外した状態を示している。
【発明を実施するための形態】
【００１７】
［第１実施形態］
以下、本発明の燃焼暖房装置及び熱交換用通気管について図を用いて詳細に説明する。本第１実施形態では、燃焼暖房装置をゲルやパオと呼ばれる移動式住居に設置した例を用いて説明する。
図１に示すように、移動式住居（以下、ゲルと称する）１０は立体形状に骨組が形成され、その外側を綿布や羊毛フェルト等の被覆材で覆うことで形成されており、略円柱状の側壁部１１と、その上部の屋根部１２とを有する仕切部１３により屋外１４から屋内１５が仕切られている。
【００１８】
本第１実施形態の燃焼暖房装置２０は、仕切部１３により仕切られた屋内１５に設置される燃焼部２１と、燃焼部２１から上方に延びて屋根部１２で仕切部１３を貫通して配置された排気管３０と、排気管３０の外周を囲んで配置され、排気管３０とともに仕切部１３を貫通した熱交換用通気管４０と、を備えている。
【００１９】
燃焼部２１は、外壁に囲まれた中空体２４と、中空体２４の側方に供給口２５が開口するとともに上方に排気口２６が開口している。なお中空体２４の上面には加熱調理部２７が設けられている。本第１実施形態では、排気口２６に開口面積を調整するためのダンパ２８が設けられている。
【００２０】
この燃焼部２１には、中空体２４の内部に供給口２５から石炭や薪等の燃料が供給され、供給口２５から屋内１５の空気を吸引しつつ燃焼し、排気口２６から排気が排出されるように構成されている。ダンパ２８により排気口２６の開口面積を調整することで、排気量を調整して燃焼を調整することが可能である。
【００２１】
排気管３０は、下端で燃焼部２１の排気口２６に接続され、燃焼部２１から上方に延びて屋根部１２から屋外１４に突出し、上端に屋外開口３１が設けられている。この排気管３０は、燃焼部２１の燃焼により生じた排気が、ドラフトと称される上昇流を形成して上昇し、屋外開口３１から屋外１４に排出される。
【００２２】
燃焼部２１の排気口２６及び排気管３０において上昇流が形成され、この上昇流により生成される吸引力により燃焼部２１で屋内１５の空気が供給口２５から吸引されるため、排気管３０において強い上昇流を形成し、これにより燃焼部２１では効率よく燃料を燃焼させることができる。
【００２３】
熱交換用通気管４０は、図１乃至図３に示すように、両端が開口した筒状に形成されており、排気管３０の外周を囲んで配置されている。
この第１実施形態の熱交換用通気管４０は、図４に示すように、排気管３０の外周に周方向に並べて配置される複数の弧状片４２と、各弧状片４２の内側面に固定された複数の補強帯材４３と、複数の弧状片４２を筒状に連結する連結部４４と、熱交換用通気管４０を排気管３０の外表面に固定するための複数の固定ネジ４６と、を備えている。
【００２４】
弧状片４２は、本第１実施形態では熱交換用通気管４０を二つに分割した円弧形状の板材からなる。各弧状片４２が薄肉のため、弧状片４２の内側面には厚肉の補強帯材４３が、熱交換用通気管４０の長手方向に互いに離間した複数位置に固定されている。
【００２５】
連結部４４は、各弧状片４２の周方向両縁部における補強帯材４３の位置に、各弧状片４２の縁部同士を隙間なく隣接させて連結可能に構成されている。第１実施形態では、連結部４４は複数の弧状片４２を開閉可能に連結するヒンジ部４４ａと、ヒンジ部４４ａで回動させて複数の弧状片４２を円柱状に閉じたとき、互いに隣接する弧状片４２の縁部同士を連結して固定可能な係止レバー４４ｂ及び被係止フック４４ｃと、を有している。
【００２６】
この連結部４４は、係止レバー４４ｂを被係止フック４４ｃから離脱させた状態で、ヒンジ部４４ａにより複数の弧状片４２を自在に開閉でき、熱交換用通気管４０の内側に排気管３０を容易に配置できる。一方、係止レバー４４ｂを被係止フック４４ｃに係止して固定することで熱交換用通気管４０を閉じて円筒形状を維持することができる。
【００２７】
複数の固定ネジ４６は、補強帯材４３の位置で周方向に間隔を空けて複数箇所に配置されている。各固定ネジ４６はそれぞれ補強帯材４３に径方向に螺合している。これらの複数の固定ネジ４６によれば、排気管３０の外周を囲んで熱交換用通気管４０を配置した状態で、固定ネジ４６を締め込むことで、排気管３０の外周面を複数の固定ネジ４６により内側に向けて強固に押圧することができ、これにより複数の固定ネジ４６により排気管３０を挟み込んで、排気管３０に熱交換用通気管４０を固定することが可能である。
【００２８】
熱交換用通気管４０が排気管３０の外周を囲んで配置された状態では、図１乃至図３に示すように、熱交換用通気管４０と排気管３０とが内外に離間して配置されており、その間に通気路４７が形成される。
【００２９】
本第１実施形態では、熱交換用通気管４０が排気管３０と略同心状に配置されていて、排気管３０の外周全周を均等な間隔で囲んで通気路４７が設けられている。また本第１実施形態では、排気管３０の外周がロックウールなどの保温材３３により被覆されているため、熱交換用通気管４０は保温材３３により覆われた排気管３０の外周を囲んで配置されている。
このように通気路４７が排気管３０と近接又は隣接して設けられると、通気路４７内を通気する気体と排気管３０内を通気する排気との間で熱交換を行うことができる。本第１実施形態では、保温材３３を介して適度に熱交換することが可能になっている。
【００３０】
この熱交換用通気管４０は、ゲル１０の屋根部１２において排気管３０とともに仕切部１３を貫通して装着されている。熱交換用通気管４０の両端は屋外１４と屋内１５とに開口している。屋外開口４１と屋内開口４８との間の全長が通気路４７となっている。
【００３１】
より詳細には、熱交換用通気管４０の屋外開口４１は、仕切部１３より外側に配置されるとともに、排気管３０の屋外開口３１より仕切部１３側に配置されている。即ち、排気管３０の屋外開口３１から排出される排気を取り込まない位置であって、屋外１４からの外気を取り込める位置に、熱交換用通気管４０の屋外開口４１が配置されている。
【００３２】
熱交換用通気管４０の屋内開口４８は屋内１５に設けられていればよいが、好ましくは屋外開口４１からの距離、即ち、屋外開口４１から取り込まれて通気路４７を流動する外気が排気管３０と熱交換して所望の温度に加熱されて屋内１５に放出できる位置に、屋内開口４８を設ける。特に限定されるものではないが、屋内開口４８から放出される気体の温度が過剰に冷たくても、過剰に熱くても、屋内１５の温度分布がバラツキ易いため、例えば１０℃以上１００℃以下、好ましくは６０℃以下、より好ましくは４０℃以下となるように屋内開口４８の位置を設定する。
【００３３】
このような構成の燃焼暖房装置２０は、仕切部１３により仕切られた屋内１５に燃焼部２１が設置されて排気管３０が屋根部１２で仕切部１３を貫通して配置されている従来の燃焼暖房装置２０に対して、熱交換用通気管４０を後付けで追加することで容易に構築できる。熱交換用通気管４０を追加するには、熱交換用通気管４０の弧状片４２を開放して排気管３０の外周を囲んで仕切部１３を貫通させて配置し、連結部４４により熱交換用通気管４０を閉じ、複数の固定ネジ４６により排気管３０に固定する。
【００３４】
その際、屋根部１２付近で排気管３０の外周に熱交換用通気管１３を仮固定した後、固定ネジ４６を緩めて排気管３０に沿って熱交換用通気管１３を上昇させ、屋根部１２を貫通させて屋外開口４１を屋根部１２より上方に配置し、その後、固定ネジ４６により強固に固定し得る。このようにして熱交換用通気管４０を取り付ければ、屋内１５側だけの作業で熱交換用通気管４０を取り付けることができる。弧状片４２を閉じて、例えばドライバー１本で固定ネジ４６を締め込むことで熱交換用通気管４０を排気管３０の外周に装着できるため、簡易な作業で本第１実施形態の燃焼暖房装置２０を構築することができる。
【００３５】
この燃焼暖房装置２０により屋内１５を暖房する際には、燃焼部２１で屋内１５の空気を吸い込みつつ燃料を燃焼し、排気が強い上昇流を生成して排気管３０から屋外１４に排出される。これに伴い、屋内１５が屋外１４と比較して負圧になることで、屋外１４の外気が仕切部１３よりも抵抗の小さい熱交換用通気管４０を通して、排気管３０と熱交換しつつ屋内に取り込まれる。これらが継続することで換気しつつ屋内１５を暖房することができる。
【００３６】
燃焼時に生じる上昇流の強さは燃焼量に比例して増減するため、燃焼量が多いときには燃焼部２１が屋内１５の空気を吸い込む量が増加して、熱交換用通気管４０から取り込まれる外気量が増加する。このように燃焼量に伴い、屋内１５の換気量が自動で適正に調整され、その適正量の外気が適切に熱交換して屋内１５に導入される。
【００３７】
第１実施形態の燃焼暖房装置２０によれば、熱交換用通気管４０が排気管３０の外周を囲み且つ仕切部１３を貫通して配置されることで、屋内１５と屋外１４とに開口した通気路４７が形成されているので、熱交換用通気管４０を通して外気を屋内に取り込むことができ、外気が仕切部１３を透過したり仕切部１３の隙間から進入したりすることを防止できる。
【００３８】
この通気路４７は排気管３０と熱交換可能に形成されているので、外気を通気路４７で加温して屋内１５に取り込むことができ、熱交換用通気管４０により十分な外気を取り込んでいても低温の外気が屋内１５に放出されることがない。
【００３９】
そのため十分な外気を取り込んで燃焼部２１で燃料を効率よく燃焼させても、低温の外気がそのまま屋内１５に取り込まれることがなく、低温の外気により屋内１５の温度分布にバラツキが生じず、屋内全体を出来るだけ均一に暖房することが可能である。
【００４０】
第１実施形態の燃焼暖房装置２０では、このような屋内の暖房を電気等の他の動力を使用せずに行える。そのため設置場所が制限されたり別の動力源を準備したりする必要がなく容易に設置できる。例えば電気を使用する場合のように、停電等の他の動力源に不具合が生じたとしても何ら問題なく使用できる。さらにファン等のように稼働時に駆動することが不可欠な部品なども不要にできるため、そのような部品が故障して換気が行えず一酸化炭素中毒が生じるような恐れもない。
【００４１】
第１実施形態の燃焼暖房装置２０では、熱交換用通気管４０の屋外開口４１が仕切部１３より外側に配置されているので、確実に外気を屋内１５に取り込むことができる。しかもこの熱交換用通気管４０の屋外開口４１が排気管３０の屋外開口３１より仕切部１３側に配置されているので、両屋外開口３１，４１を離間させることができ、排気管３０の風下側の圧力の影響で、排気管３０から排出された排気が排気管３０の外周壁に沿って仕切部１３側に下降したとしても、熱交換用通気管４０により外気とともに排気を取り込むことを防止できる。
【００４２】
例えば屋外１４の風が強い場合などには、排気管３０の屋外開口３１から排出された排気は、排気管３０の周囲の風下側の負圧により流下するが、熱交換用通気管４０の屋外開口４１が排気管３０の屋外開口３１の近傍に設けられていると、排気が熱交換用通気管４０に取り込まれ易い。ところが第１実施形態では、熱交換用通気管４０の屋外開口４１を、排気管３０の屋外開口３１の位置から十分に離間するように配置しているので、強風により排気が流下しても到達せず、排気が屋内１５取り込まれることがない。
【００４３】
第１実施形態の燃焼暖房装置２０は、保温材３３により覆われた排気管３０の外周を囲んで熱交換用通気管４０が配置されているので、熱交換用通気管４０内を通気する外気との熱交換により排気管３０内の排気が過剰に冷却されることを防止でき、排気管３０内における十分な上昇流を確保でき、燃焼部２１に屋内の十分な空気の吸込量を確保し易くできる。
【００４４】
第１実施形態の交換用通気管４０によれば、燃焼部２１から上方に延びて仕切部１３を貫通する排気管３０に対し、外周を囲み且つ仕切部１３を貫通して装着でき、排気管３０との間に、屋内１５と屋外１４とに開口して排気管３０と熱交換可能な通気路４７を形成できる。そのため熱交換用通気管４０を排気管３０の外周に装着することで、上述のような燃焼暖房装置２０を容易に実現できる。従って低温の外気により屋内１５の温度分布にバラツキが生じることを防ぎ、屋内全体を出来るだけ均一に暖房できる燃焼暖房装置２０を容易に構成できる。
【００４５】
第１実施形態の熱交換用通気管４０によれば、排気管３０の外周に配置される少なくとも１つの弧状片４２と、弧状片４２を筒状に連結する連結部４４と、を備えているので、排気管３０の周囲に弧状片４２を配置して連結部４４により筒状に連結すれば容易に排気管３０の外周に装着でき、例えばドライバー１本で極めて簡易な作業により装着することが可能である。特に、このような交換用通気管４０を用いれば、既設の燃焼暖房装置の排気管３０の周りに、二つ割りに開いた状態で弧状片４２を配置して閉じ、固定ネジ４６を締め込んで排気管３０の外周を熱交換用通気管４０で囲んで固定すれば、既設の燃焼暖房装置を極めて容易に本第１実施形態の燃焼暖房装置２０に改造することができる。
【００４６】
また本第１実施形態の排気管３０では、熱交換用通気管４０が周方向に間隔を空けた複数箇所に配置されて径方向に螺合した複数の固定ネジ４６を有し、この複数の固定ネジ４６により排気管３０の外周面に固定可能であるので、熱交換用通気管４０を排気管３０の外周に配置して複数の固定ネジ４６を締め込むことで、熱交換用通気管４０を排気管３０に容易に装着できる。しかも熱交換用通気管４０を排気管３０に直接固定するため、熱交換用通気管４０を他の部材に支持するための構造を設ける必要がなく、構成を簡素化できる。
【００４７】
［第２実施形態］
図５及び図６は第２実施形態の燃焼暖房装置に係る排気管及び熱交換用通気管の上端を示している。第２実施形態では排気管３０及び熱交換用通気管４０の上端部の構造が異なる他は、第１実施形態と同様である。
第２実施形態では、まず熱交換用通気管４０には排気管３０の屋外開口３１に熱交換用通気管４０を係止可能な吊り金具４９が配設されており、また熱交換用通気管４０の上端部付近には、排気管３０の外周に配置されて通気管４０の上端側を覆うカバー５０が配設されている。
【００４８】
吊り金具４９は、熱交換用通気管４０の周方向に離間した複数位置に装着されており、下端側に設けられた熱交換用通気管４０との固定部４９ａと、上端側に設けられて排気管３０の屋外開口３１の周囲に係止可能な開口フック４９ｂと、中間部に設けられてカバー５０を支持する支持部４９ｃと、を備えている。吊り金具４９は、固定部４９ａを熱交換用通気管４０の上端側に固定し、開口フック４９ｂを排気管３０の屋外開口３１に係止することで、熱交換用通気管４０を排気管３０に吊り下げ可能である。
【００４９】
熱交換用通気管４０の上端を覆うカバー５０は、排気管３０を環状に囲んで外周面と接するように配置され、排気管３０側から径方向に下り勾配に形成された傾斜壁５１と、傾斜壁５１の外周側に連続して設けられ、熱交換用通気管４０より大径の円筒形状に形成された円筒壁５２と、排気管３０及び熱交換用通気管４０に装着するための装着部５３と、を備え、下向きに開口している。本実施形態のカバー５０は、傾斜壁５１に装着部５３が設けられ、傾斜壁５１を貫通して配置された吊り金具４９の支持部４９ｃにより装着部５３が支持されている。
【００５０】
このカバー５０は、排気管３０の屋外開口３１と熱交換用通気管４０の屋外開口４１との間に装着されている。装着状態では、傾斜壁５１が熱交換用通気管４０の屋外開口４１における排気管３０より外周側全体を上方の離間した位置で覆っている。また傾斜壁５１から連続した円筒壁５２が熱交換用通気管４０の屋外開口４１における側周囲全周を径方向に離間した位置で覆っている。カバー５０は下方に開口していてカバー５０の仕切部１３側から外気を取り込み可能である。
【００５１】
このような構成を既設の燃焼暖房装置２０に追加するには、複数の吊り金具４９を熱交換用通気管４０に固定して排気管３０の屋外開口３１に吊り下げ、その状態で、複数の固定ネジ４６により排気管３０に固定する。またカバー５０の環状の傾斜壁５１を排気管３０の外周に挿通させ、熱交換用通気管４０の屋外開口４１の上方及び側周囲にカバー５０を配置し、吊り金具４９により所定位置に装着する。その他は第１実施形態と同様にすればよい。
【００５２】
第２実施形態であっても、第１実施形態と同様の作用効果を得ることができる。
第２実施形態では、熱交換用通気管４０が排気管３０に係止可能な吊り金具４９を有し、吊り金具４９により排気管３０に吊り下げた状態で排気管３０に固定できるので、排気管３０の所定位置に熱交換用通気管４０を容易に固定することができる。
第２実施形態では、熱交換用通気管４０の屋外開口４１より上方の排気管３０の外周囲から熱交換用通気管３０の外周囲までが、下向きに開口したカバー５０により通気可能に覆われているので、外気とともに排気を取り込むことを防止できることに加え、屋外の天気により雨や雪等の水分が熱交換用通気管４０の通気路４７内に浸入して屋内に流入することを防止できる。
【００５３】
上記第１及び第２実施形態は、本発明の範囲内において適宜変更可能である。
例えば上記各実施形態では、燃焼暖房装置２０をゲル１０に設置した例について説明したが、設置対象となる建物は何ら限定されない。例えば仕切部１３が布、皮、木、石、モルタルなど、各種の材料により構成された建物であっても、同様に本発明の燃焼暖房装置２０を設置することが可能である。
【００５４】
また上記各実施形態では、排気管３０及び熱交換用通気管４０をゲル１０における屋根部１２の中央に貫通させたが、仕切部１３を貫通させる位置は適宜選択可能である。即ち、排気管３０内に燃焼部２１における燃焼に必要な上昇流が形成できる範囲で排気管３０を配置可能であるため、排気管３０及び熱交換用通気管４０を例えば屋根部１２の端部で貫通させてもよく、屋根部１２より下方の側壁部１１で貫通させてもよい。
【００５５】
さらに上記各実施形態では、複数の弧状片４２を連結部４４により連結することで熱交換用通気管４０を構成したが、１枚の弧状片４２の両縁部に係止レバー４４ｂ及び被係止フック４４ｃからなる連結部４４を設けて開閉可能に構成することも可能である。その場合、弧状片４２を弾性変形させることで弧状片４２の両縁部間を開閉させてもよい。
また熱交換用通気管４０を開閉しない円筒形状に形成して排気管３０の外周を囲んで配置することも可能である。
【００５６】
さらに上記各実施形態では、排気管３０の外周が保温材３３で覆われた例について説明したが、特に限定されるものではなく、排気管３０を保温材３３で覆うことなく、その周囲に熱交換用通気管４０を装着してもよい。
【００５７】
第２実施形態では、吊り金具４９により排気管３０に吊り下げた熱交換用通気管４０を、第１実施形態と同様の固定ネジ４６で固定した例を説明したが、固定ネジ４６を用いずに熱交換用通気管４０を排気管３０に吊り下げて固定してもよい。
【符号の説明】
【００５８】
１０  ゲル
１１  側壁部
１２  屋根部
１３  仕切部
１４  屋外
１５  屋内
２０  燃焼暖房装置
２１  燃焼部
２４  中空体
２５  供給口
２６  排気口
２７  加熱調理部
２８  ダンパ
３０  排気管
３１  屋外開口
３３  保温材
４０  熱交換用通気管
４１  屋外開口
４２  弧状片
４３  補強帯材
４４  連結部
４４ａ  ヒンジ部
４４ｂ  係止レバー
４４ｃ  被係止フック
４６  固定ネジ
４７  通気路
４８  屋内開口
４９  吊り金具
４９ａ  固定部
４９ｂ  開口フック
４９ｃ  支持部
５０  カバー
５１  傾斜壁
５２  円筒壁
５３  装着部
【図１】
2020012624.tif 000003
【図２】
2020012624.tif 000004
【図３】
2020012624.tif 000005
【図４】
2020012624.tif 000006
【図５】
2020012624.tif 000007
【図６】
2020012624.tif 000008
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
移動式住居に用いられ、かつ電源を使用しない燃焼暖房装置において、
仕切部により仕切られた屋内に設置される燃焼部と、前記仕切部を貫通して配置され、前記燃焼部の排気が上昇流を形成して屋外に排出される排気管と、
前記排気管の外周を囲み且つ前記仕切部を貫通して配置された熱交換用通気管とを備え、
前記熱交換用通気管と前記排気管との間には、前記屋内と前記屋外とに開口して前記排気管と熱交換可能な通気路が形成され、
前記燃焼部の前記屋外への前記上昇流により生じる自然の吸引力のみで前記通気路から前記屋外の空気を前記屋内に取り込んで、前記屋内の空気を吸い込んで燃料を燃焼させる、燃焼暖房装置。
【請求項２】
前記熱交換用通気管の屋外開口は前記仕切部より外側に配置されるとともに、前記排気管の屋外開口より前記仕切部側に配置されている、請求項１に記載の燃焼暖房装置。
【請求項３】
前記熱交換用通気管の屋外開口より上方の前記排気管の外周囲から前記熱交換用通気管の外周囲までが、下向きに開口したカバーにより通気可能に覆われている、請求項２に記載の燃焼暖房装置。
【請求項４】
移動式住居に用いられ、かつ電源を使用しない燃焼暖房装置用の熱交換用通気管において、
仕切部により仕切られた屋内の燃焼部から上方に延びて前記仕切部を貫通する排気管に対し、外周を囲み且つ前記仕切部を貫通して装着され、前記排気管との間に、前記屋内と屋外とに開口して前記排気管と熱交換可能な通気路を形成し、
前記燃焼部の前記屋外への排気の上昇流により生じる自然の吸引力のみで前記通気路から前記屋外の空気を前記屋内に取り込むことができる、熱交換用通気管。
【請求項５】
前記熱交換用通気管は、前記排気管の外周に配置される少なくとも１つの弧状片と、前記弧状片を筒状に連結する連結部と、を備えている、請求項４に記載の熱交換用通気管。
【請求項６】
前記熱交換用通気管は、外周方向に間隔を空けた複数箇所に配置されて径方向に螺合した複数の固定ネジを有し、前記複数の固定ネジにより前記排気管の外周面に固定可能である、請求項４又は５に記載の熱交換用通気管。
【請求項７】
前記熱交換用通気管は、前記排気管に係止可能な吊り金具を有し、前記吊り金具により前記排気管に吊り下げた状態で前記排気管の外周面に固定可能である、請求項４乃至６の何れかに記載の熱交換用通気管。
【手続補正２】
【補正対象書類名】明細書
【補正対象項目名】０００９
【補正方法】変更
【補正の内容】
【０００９】
上記課題を解決する本発明の燃焼暖房装置は、移動式住居に用いられ、かつ電源を使用しない燃焼暖房装置であって、仕切部により仕切られた屋内に設置される燃焼部と、仕切部を貫通して配置され、燃焼部の排気が上昇流を形成して屋外に排出される排気管と、排気管の外周を囲み且つ仕切部を貫通して配置された熱交換用通気管とを備え、熱交換用通気管と排気管との間には、屋内と屋外とに開口して排気管と熱交換可能な通気路が形成され、燃焼部の屋外への上昇流により生じる自然の吸引力のみで通気路から屋内の空気を屋内に取り込んで、屋内の空気を吸い込んで燃料を燃焼させるものである。
【手続補正３】
【補正対象書類名】明細書
【補正対象項目名】００１１
【補正方法】変更
【補正の内容】
【００１１】
上記他の課題を解決する本発明の熱交換用通気管は、移動式住居に用いられ、かつ電源を使用しない燃焼暖房装置用の熱交換用通気管であって、仕切部により仕切られた屋内の燃焼部から上方に延びて仕切部を貫通する排気管に対し、外周を囲み且つ仕切部を貫通して装着され、排気管との間に、屋内と屋外とに開口して排気管と熱交換可能な通気路を形成し、燃焼部の屋外への排気の上昇流により生じる自然の吸引力のみで通気路から屋外の空気を屋内に取り込むことができるものである。
【手続補正４】
【補正対象書類名】明細書
【補正対象項目名】００１２
【補正方法】変更
【補正の内容】
【００１２】
本発明の熱交換用通気管は、好ましくは、排気管の外周に配置される少なくとも１つの弧状片と、弧状片を筒状に連結する連結部と、を備えている。
また熱交換用通気管は外周方向に間隔を空けた複数箇所に配置されて径方向に螺合した複数の固定ネジを有し、複数の固定ネジにより排気管の外周面に固定可能であるのが好適である。
さらに熱交換用通気管は、排気管に係止可能な吊り金具を有し、吊り金具により排気管に吊り下げた状態で排気管の外周面に固定可能である。
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
移動式住居に用いられ、かつ電源を使用しない燃焼暖房装置において、
仕切部により仕切られた屋内に設置される燃焼部と、前記仕切部を貫通して配置され、前記燃焼部の排気が上昇流を形成して屋外に排出される排気管と、
前記排気管の外周を囲み且つ前記仕切部を貫通して配置された熱交換用通気管とを備え、
前記熱交換用通気管と前記排気管との間には、前記屋内と前記屋外とに開口して前記排気管と熱交換可能な通気路が形成され、
前記熱交換用通気管は、前記排気管とともに前記仕切部を貫通し、
前記排気管の屋外開口及び前記熱交換用通気管の屋外開口を、前記仕切部から前記熱交換用通気管の前記屋外開口までの距離よりも、前記熱交換用通気管の前記屋外開口から前記排気管の前記屋外開口までの距離が大となるように、上下方向に互いに離間して配置した、燃焼暖房装置。
【請求項２】
前記熱交換用通気管の屋外開口は前記仕切部より外側に配置されるとともに、前記排気管の屋外開口より前記仕切部側に配置されている、請求項１に記載の燃焼暖房装置。
【請求項３】
前記熱交換用通気管の屋外開口より上方の前記排気管の外周囲から前記熱交換用通気管の外周囲までが、下向きに開口したカバーにより通気可能に覆われている、請求項２に記載の燃焼暖房装置。
【請求項４】
移動式住居に用いられ、かつ電源を使用しない燃焼暖房装置用の熱交換用通気管において、
仕切部により仕切られた屋内の燃焼部から上方に延びて前記仕切部を貫通する排気管に対し、外周を囲み且つ前記仕切部を貫通して装着され、前記排気管との間に、前記屋内と屋外とに開口して前記排気管と熱交換可能な通気路を形成し、
前記熱交換用通気管は、前記排気管とともに前記仕切部を貫通し、
前記排気管の屋外開口及び前記熱交換用通気管の屋外開口を、前記仕切部から前記熱交換用通気管の前記屋外開口までの距離よりも、前記熱交換用通気管の前記屋外開口から前記排気管の前記屋外開口までの距離が大となるように、上下方向に互いに離間して配置した、熱交換用通気管。
【請求項５】
前記熱交換用通気管は、前記排気管の外周に配置される少なくとも１つの弧状片と、前記弧状片を筒状に連結する連結部と、を備えている、請求項４に記載の熱交換用通気管。
【請求項６】
前記熱交換用通気管は、外周方向に間隔を空けた複数箇所に配置されて径方向に螺合した複数の固定ネジを有し、前記複数の固定ネジにより前記排気管の外周面に固定可能である、請求項４又は５に記載の熱交換用通気管。
【請求項７】
前記熱交換用通気管は、前記排気管に係止可能な吊り金具を有し、前記吊り金具により前記排気管に吊り下げた状態で前記排気管の外周面に固定可能である、請求項４乃至６の何れかに記載の熱交換用通気管。
【手続補正２】
【補正対象書類名】明細書
【補正対象項目名】０００９
【補正方法】変更
【補正の内容】
【０００９】
上記課題を解決する本発明の燃焼暖房装置は、移動式住居に用いられ、かつ電源を使用しない燃焼暖房装置において、仕切部により仕切られた屋内に設置される燃焼部と、前記仕切部を貫通して配置され、前記燃焼部の排気が上昇流を形成して屋外に排出される排気管と、前記排気管の外周を囲み且つ前記仕切部を貫通して配置された熱交換用通気管とを備え、前記熱交換用通気管と前記排気管との間には、前記屋内と前記屋外とに開口して前記排気管と熱交換可能な通気路が形成され、前記熱交換用通気管は、前記排気管とともに前記仕切部を貫通し、前記排気管の屋外開口及び前記熱交換用通気管の屋外開口を、前記仕切部から前記熱交換用通気管の前記屋外開口までの距離よりも、前記熱交換用通気管の前記屋外開口から前記排気管の前記屋外開口までの距離が大となるように、上下方向に互いに離間して配置したものである。
【手続補正３】
【補正対象書類名】明細書
【補正対象項目名】００１１
【補正方法】変更
【補正の内容】
【００１１】
上記他の課題を解決する本発明の熱交換用通気管は、移動式住居に用いられ、かつ電源を使用しない燃焼暖房装置用の熱交換用通気管において、仕切部により仕切られた屋内の燃焼部から上方に延びて前記仕切部を貫通する排気管に対し、外周を囲み且つ前記仕切部を貫通して装着され、前記排気管との間に、前記屋内と屋外とに開口して前記排気管と熱交換可能な通気路を形成し、前記熱交換用通気管は、前記排気管とともに前記仕切部を貫通し、前記排気管の屋外開口及び前記熱交換用通気管の屋外開口を、前記仕切部から前記熱交換用通気管の前記屋外開口までの距離よりも、前記熱交換用通気管の前記屋外開口から前記排気管の前記屋外開口までの距離が大となるように、上下方向に互いに離間して配置したものである。
【手続補正４】
【補正対象書類名】明細書
【補正対象項目名】００３１
【補正方法】変更
【補正の内容】
【００３１】
より詳細には、熱交換用通気管４０の屋外開口４１は、仕切部１３より外側に配置されるとともに、排気管３０の屋外開口３１より仕切部１３側に配置されている。即ち、排気管３０の屋外開口３１から排出される排気を取り込まない位置であって、屋外１４からの外気を取り込める位置に、熱交換用通気管４０の屋外開口４１が配置されている。  具体的には、排気管３０の屋外開口３１、及び熱交換用通気管４０の屋外開口４１の位置関係が、仕切部１２，１３から熱交換用通気管４０の屋外開口４１までの距離ｄ１よりも、熱交換用通気管４０の屋外開口４１から排気管３０の屋外開口３１までの距離が大（距離ｄ１＜距離ｄ２）となるように、上下方向に互いに離間して配置されている。
【手続補正５】
【補正対象書類名】図面
【補正対象項目名】図５
【補正方法】変更
【補正の内容】
【図５】
2020012624.tif 000009